(57)【要約】  表示制御システムは複数のユーザにより視認可能な表示画面の表示制御を行い、ユーザの端末からの表示画面における表示内容の操作を受け付ける、表示制御システムであって、表示画面の表示内容を操作するための接続の要求を第１のユーザにより操作される端末から受け付ける受付手段と、表示画面における第１のユーザのカーソルの表示を接続の時点において許容する表示許容領域を特定する特定手段であって、第２のユーザの端末の操作に基づいて表示されたアイテム情報が表示されている情報表示領域における他のユーザのカーソルの表示の禁止の度合いを示す表示禁止度を取得し、取得した表示禁止度に基づいて、表示許容領域を特定する、特定手段と、表示許容領域に第１のユーザのカーソルを表示させる表示制御手段と、を備える。
2017168691.tif 000002
【特許請求の範囲】
【請求項１】
複数のユーザにより視認可能な表示画面の表示制御を行い、前記ユーザの端末からの前記表示画面における表示内容の操作を受け付ける、表示制御システムであって、
前記表示画面の前記表示内容を操作するための接続の要求を第１のユーザにより操作される端末から受け付ける受付手段と、
前記表示画面における前記第１のユーザのカーソルの表示を前記接続の時点において許容する表示許容領域を特定する特定手段であって、第２のユーザの端末の操作に基づいて表示されたアイテム情報が表示されている情報表示領域における他のユーザのカーソルの表示の禁止の度合いを示す表示禁止度を取得し、取得した前記表示禁止度に基づいて、前記表示許容領域を特定する、特定手段と、
前記表示許容領域に前記第１のユーザのカーソルを表示させる表示制御手段と、
を備える表示制御システム。
【請求項２】
前記特定手段は、
各情報表示領域の前記表示禁止度を取得し、
前記表示画面中において何れの情報も表示されていない領域を、最低の表示禁止度が設定されている領域として特定し、
前記表示画面中において所定の情報が予め表示されている領域を、最高の表示禁止度が設定されている領域として特定し、
前記表示禁止度が最も低い領域を前記表示許容領域として特定する、
請求項１に記載の表示制御システム。
【請求項３】
第２のユーザの操作に基づいて、前記アイテム情報に関連する関連情報を前記第２のユーザの端末に表示させるために該端末に送信する関連情報送信手段と、
前記第２のユーザの端末が、前記関連情報の送信に応じた所定状態であることを示す状態情報を取得する状態取得手段と、をさらに備え、
前記特定手段は、前記状態取得手段により前記第２のユーザの端末からの前記状態情報が取得された場合に、前記情報表示領域の前記表示禁止度を、前記状態情報が取得されなかった場合よりも低下させる、
請求項１または２に記載の表示制御システム。
【請求項４】
前記受付手段は、複数のユーザの端末からの接続の要求を受け付けることが可能であり、
前記受付手段が、前記第１のユーザの端末からの接続の要求を受け付ける前に、第３のユーザの端末からの接続の要求を受け付けた場合に、
前記特定手段は、
前記表示許容領域のうちの一部の領域である第１の領域を前記第３のユーザのカーソルを表示するための領域として特定し、
前記表示許容領域のうちの、前記第１の領域以外の領域の少なくとも一部の領域である第２の領域を、前記第１のユーザのカーソル表示するための領域として特定し、
前記表示制御手段は、前記第１の領域に第３のユーザのカーソルを表示させ、第２に領域に前記第１のユーザのカーソルを表示させる、
請求項１〜３のいずれか一項に記載の表示制御システム。
【請求項５】
前記特定手段は、
前記表示許容領域を分割して複数の副表示許容領域を特定し、
前記複数の副表示許容領域のうちの一つである第１の副表示許容領域を、前記第３のユーザのカーソルを表示するための前記第１の領域として特定し、
前記複数の副表示許容領域のうちの前記第１の副表示許容領域以外の副表示許容領域である第２の副表示許容領域を、前記第１のユーザのカーソル表示するための前記第２の領域として特定する、
請求項４に記載の表示制御システム。
【請求項６】
前記受付手段により受け付けられた、ユーザの端末からの前記接続の要求に応じて、前記表示画面におけるカーソルの操作を前記端末において実現させる接続ページを端末に表示させるための接続ページ情報を端末に送信する接続ページ送信手段であって、接続ページにおける操作により前記第１の領域にカーソルが表示されることとなる情報を含む第１の接続ページ情報を前記第３のユーザの端末に送信し、接続ページにおける操作により前記第２の領域にカーソルが表示されることとなる情報を含む第２の接続ページ情報を前記第１のユーザの端末に送信する、接続ページ送信手段、をさらに備え、
前記表示制御手段は、
前記第１の接続ページに基づいて表示された第１の接続ページにおいてカーソルの操作が行われたことを示す操作情報を取得した場合に、前記第１の領域に前記第３のユーザのカーソルを表示させ、
前記第２の接続ページに基づいて表示された第２の接続ページにおいてカーソルの操作が行われたことを示す操作情報を取得した場合に、前記第２の領域に前記第１のユーザのカーソルを表示させる、
請求項４または５に記載の表示制御システム。
【請求項７】
前記表示画面における前記第１のユーザのカーソルが表示された位置を示す表示位置情報を前記第１のユーザの端末に送信する表示位置送信手段、
をさらに備える請求項１〜６に記載の表示制御システム。
【請求項８】
複数のユーザにより視認可能な表示画面の表示制御を行い、前記ユーザの端末からの前記表示画面における表示内容の操作を受け付ける、表示制御システムにおける表示制御方法であって、
前記表示画面の前記表示内容を操作するための接続の要求を第１のユーザにより操作される端末から受け付ける受付ステップと、
前記表示画面における前記第１のユーザのカーソルの表示を前記接続の時点において許容する表示許容領域を特定する特定ステップであって、第２のユーザの端末の操作に基づいて表示されたアイテム情報が表示されている情報表示領域における他のユーザのカーソルの表示の禁止の度合いを示す表示禁止度を取得し、取得した前記表示禁止度に基づいて、前記表示許容領域を特定する、特定ステップと、
前記表示許容領域に前記第１のユーザのカーソルを表示させる表示制御ステップと、
を有する表示制御方法。
【請求項９】
複数のユーザにより視認可能な表示画面の表示制御を行い、前記ユーザの端末からの前記表示画面における表示内容の操作を受け付ける、表示制御システムとしてコンピュータを機能させる表示制御プログラムであって、
前記コンピュータを、
前記表示画面の前記表示内容を操作するための接続の要求を第１のユーザにより操作される端末から受け付ける受付手段、
前記表示画面における前記第１のユーザのカーソルの表示を前記接続の時点において許容する表示許容領域を特定する特定手段であって、第２のユーザの端末の操作に基づいて表示されたアイテム情報が表示されている情報表示領域における他のユーザのカーソルの表示の禁止の度合いを示す表示禁止度を取得し、取得した前記表示禁止度に基づいて、前記表示許容領域を特定する、特定手段、及び、
前記表示許容領域に前記第１のユーザのカーソルを表示させる表示制御手段、
として機能させる表示制御プログラム。
【発明の詳細な説明】
【技術分野】
【０００１】
本発明の一側面は、表示制御システム、表示制御方法及び表示制御プログラムに関する。
【背景技術】
【０００２】
複数の人が視認可能な環境に表示装置を設け、コンテンツを表示装置に表示させることが行われている。このような表示装置にコンテンツを表示させるシステムは、例えば、デジタルサイネージと称され、複数の商品広告等の表示に用いられる。また、モバイル機器（端末）の操作により、複数のユーザが見ることができる大型のディスプレイ上のコンテンツの表示領域の操作及び選択が可能なシステムが知られている（例えば、特許文献１参照）。また、撮影画像に表された物体に付加情報を重畳して表示する装置において、見やすさの向上のために付加情報を表す吹き出しが重ならないように表示させる技術が知られている（例えば、特許文献２参照）。
【先行技術文献】
【特許文献】
【０００３】
【特許文献１】特開２０１１−５４１６２号公報
【特許文献２】特開２０１５−１３８４２８号公報
【発明の概要】
【発明が解決しようとする課題】
【０００４】
複数のユーザのそれぞれの端末により表示画面に表示されたカーソルを操作することにより、複数のユーザにより視認可能な表示画面に表示された内容に関する操作が可能なシステムにおいて、例えば、あるユーザが端末をシステムに接続すると、そのユーザのカーソルが新たに表示される。かかる場合に、新たに表示されたカーソルが、既に端末をシステムに接続して表示画面を見ていたユーザにとって、表示画面中において見ていた箇所の邪魔になる可能性がある。【０００５】
そこで本発明の一側面は、端末が接続されることにより新たに表示されるカーソルが、既に表示画面を見ている人が着目している箇所を見ることの妨げとなりにくくすることを目的とする。
【課題を解決するための手段】
【０００６】
上記課題を解決するために、本発明の一形態に係る表示制御システムは、複数のユーザにより視認可能な表示画面の表示制御を行い、ユーザの端末からの表示画面における表示内容の操作を受け付ける、表示制御システムであって、表示画面の表示内容を操作するための接続の要求を第１のユーザにより操作される端末から受け付ける受付手段と、表示画面における第１のユーザのカーソルの表示を接続の時点において許容する表示許容領域を特定する特定手段であって、第２のユーザの端末の操作に基づいて表示されたアイテム情報が表示されている情報表示領域における他のユーザのカーソルの表示の禁止の度合いを示す表示禁止度を取得し、取得した表示禁止度に基づいて、表示許容領域を特定する、特定手段と、表示許容領域に第１のユーザのカーソルを表示させる表示制御手段と、を備える。【０００７】
本発明の一形態に係る表示制御方法は、複数のユーザにより視認可能な表示画面の表示制御を行い、ユーザの端末からの表示画面における表示内容の操作を受け付ける、表示制御システムにおける表示制御方法であって、表示画面の表示内容を操作するための接続の要求を第１のユーザにより操作される端末から受け付ける受付ステップと、表示画面における第１のユーザのカーソルの表示を接続の時点において許容する表示許容領域を特定する特定ステップであって、第２のユーザの端末の操作に基づいて表示されたアイテム情報が表示されている情報表示領域における他のユーザのカーソルの表示の禁止の度合いを示す表示禁止度を取得し、取得した表示禁止度に基づいて、表示許容領域を特定する、特定ステップと、表示許容領域に第１のユーザのカーソルを表示させる表示制御ステップと、を有する。【０００８】
本発明の一形態に係る表示制御プログラムは、複数のユーザにより視認可能な表示画面の表示制御を行い、ユーザの端末からの表示画面における表示内容の操作を受け付ける、表示制御システムとしてコンピュータを機能させる表示制御プログラムであって、コンピュータを、表示画面の表示内容を操作するための接続の要求を第１のユーザにより操作される端末から受け付ける受付手段、表示画面における第１のユーザのカーソルの表示を接続の時点において許容する表示許容領域を特定する特定手段であって、第２のユーザの端末の操作に基づいて表示されたアイテム情報が表示されている情報表示領域における他のユーザのカーソルの表示の禁止の度合いを示す表示禁止度を取得し、取得した表示禁止度に基づいて、表示許容領域を特定する、特定手段、及び、表示許容領域に第１のユーザのカーソルを表示させる表示制御手段、として機能させる。【０００９】
上記側面によれば、第２のユーザの端末の操作に基づいて表示されたアイテム情報が表示されている情報表示領域の表示禁止度に基づいて表示許容領域が特定される。従って、例えば情報表示領域に高い表示禁止度を設定しておくことにより、第２のユーザが着目している領域である情報表示領域以外の領域が表示許容領域として特定され、接続の要求に係る第１のユーザのカーソルが表示許容領域に表示されるので、第１のユーザのカーソルが、第２のユーザがアイテム情報を見ることを妨げにくくすることができる。【００１０】
別の側面に係る表示制御システムでは、特定手段は、各情報表示領域の表示禁止度を取得し、表示画面中において何れの情報も表示されていない領域を、最低の表示禁止度が設定されている領域として特定し、表示画面中において所定の情報が予め表示されている領域を、最高の表示禁止度が設定されている領域として特定し、表示禁止度が最も低い領域を前記表示許容領域として特定することとしてもよい。【００１１】
上記側面によれば、アイテム情報が表示されている情報表示領域、所定の情報が予め表示されている領域、及び、何れの情報も表示されていない領域のうち、表示禁止度が最も低い領域が表示許容領域として特定されるので、ユーザがアイテム情報を見ることを妨げる可能性が最も低い領域に第１のユーザのカーソルを表示させることができる。【００１２】
別の側面に係る表示制御システムでは、第２のユーザの操作に基づいて、アイテム情報に関連する関連情報を第２のユーザの端末に表示させるために該端末に送信する関連情報送信手段と、第２のユーザの端末が、関連情報の送信に応じた所定状態であることを示す状態情報を取得する状態取得手段と、をさらに備え、特定手段は、状態取得手段により第２のユーザの端末からの状態情報が取得された場合に、情報表示領域の表示禁止度を、状態情報が取得されなかった場合よりも低下させることとしてもよい。【００１３】
上記側面によれば、第２のユーザの端末がアイテム情報に関連する関連情報の送信に応じた所定状態にある場合に、情報表示領域の表示禁止度が低下される。例えば、第２のユーザが端末を注視している蓋然性が高い状態を所定状態とすることにより、第２のユーザが表示画面を見ていない可能性が高いときに、第１のカーソルが情報表示領域に表示されることを許容する度合いが高くなる。従って、第２のユーザが着目箇所を見ることを妨げる可能性を高めることなく、第１のユーザのカーソルの表示位置の自由度を大きくすることができる。【００１４】
さらに別の側面に係る表示制御システムでは、受付手段は、複数のユーザの端末からの接続の要求を受け付けることが可能であり、受付手段が、第１のユーザの端末からの接続の要求を受け付ける前に、第３のユーザの端末からの接続の要求を受け付けた場合に、特定手段は、表示許容領域のうちの一部の領域である第１の領域を第３のユーザのカーソルを表示するための領域として特定し、表示許容領域のうちの、第１の領域以外の領域の少なくとも一部の領域である第２の領域を、第１のユーザのカーソル表示するための領域として特定し、表示制御手段は、第１の領域に第３のユーザのカーソルを表示させ、第２に領域に第１のユーザのカーソルを表示させることとしてもよい。【００１５】
この側面によれば、第３及び第１のユーザのそれぞれの端末から一定の時間差をもって接続の要求を受け付けた場合に、第１の領域及び第１の領域以外の第２の領域が、第３及び第１のユーザのそれぞれのカーソルを表示するための領域として特定される。これにより、第３及び第１のユーザのカーソルはそれぞれ別の領域に表示されるので、第３及び第１のユーザのカーソルの表示位置の間に一定の間隔が確保される。従って、第２のユーザが着目箇所を見ることを妨げることを防止しながら、第３及び第１のユーザのそれぞれが、自らのカーソルの表示位置を認識することが容易となる。【００１６】
さらに別の側面に係る表示制御システムでは、特定手段は、表示許容領域を分割して複数の副表示許容領域を特定し、複数の副表示許容領域のうちの一つである第１の副表示許容領域を、第３のユーザのカーソルを表示するための第１の領域として特定し、複数の副表示許容領域のうちの第１の副表示許容領域以外の副表示許容領域である第２の副表示許容領域を、第１のユーザのカーソル表示するための第２の領域として特定することとしてもよい。【００１７】
上記側面によれば、予め重複することなく特定した複数の副表示許容領域のうちの第１及び第２の副表示許容領域がそれぞれ第３及び第１のユーザのカーソルを表示させる領域として特定される。これにより、第３及び第１のユーザのカーソルを、確実に別の領域に表示することができる。【００１８】
さらに別の側面に係る表示制御システムでは、受付手段により受け付けられた、ユーザの端末からの接続の要求に応じて、表示画面におけるカーソルの操作を端末において実現させる接続ページを端末に表示させるための接続ページ情報を端末に送信する接続ページ送信手段であって、接続ページにおける操作により第１の領域にカーソルが表示されることとなる情報を含む第１の接続ページ情報を第３のユーザの端末に送信し、接続ページにおける操作により第２の領域にカーソルが表示されることとなる情報を含む第２の接続ページ情報を第１のユーザの端末に送信する、接続ページ送信手段、をさらに備え、表示制御手段は、第１の接続ページに基づいて表示された第１の接続ページにおいてカーソルの操作が行われたことを示す操作情報を取得した場合に、第１の領域に第３のユーザのカーソルを表示させ、第２の接続ページに基づいて表示された第２の接続ページにおいてカーソルの操作が行われたことを示す操作情報を取得した場合に、第２の領域に第１のユーザのカーソルを表示させることとしてもよい。【００１９】
上記側面によれば、第３及び第１のユーザのそれぞれの端末からの接続の要求に応じて、第１の領域にカーソルが表示されることとなる情報を含む第１の接続ページ情報、及び、第２の領域にカーソルが表示されることとなる情報を含む第２の接続ページ情報がそれぞれの端末に返信される。これにより、第３及び第１のユーザのカーソルが表示される領域が、端末におけるカーソルの操作を示す操作情報の取得に先だって予め予約される。従って、第３及び第１のユーザのそれぞれの端末から時間差をもった接続の要求が受信された場合に、操作情報が取得される順が接続の要求の受信の順と異なったとしても、第３及び第１のユーザのそれぞれのカーソルを、確実に別の領域に表示させることができる。【００２０】
さらに別の側面に係る表示制御システムでは、表示画面における第１のユーザのカーソルが表示された位置を示す表示位置情報を第１のユーザの端末に送信する表示位置送信手段をさらに備えることとしてもよい。【００２１】
この側面によれば、端末からの接続の要求に応じて、表示制御システムにより特定されたカーソルの表示位置を、当該端末のユーザに認識させることが容易となる。
【発明の効果】
【００２２】
本発明の一側面によれば、端末が接続されることにより新たに表示されるカーソルが、既に表示画面を見ている人が着目している箇所を見ることの妨げになりにくくすることが可能となる。
【図面の簡単な説明】
【００２３】
【図１】本実施形態に係る表示制御システムの装置構成を示す図である。
【図２】表示制御装置の機能的構成を示すブロック図である。
【図３】表示制御装置のハードウェア構成を示す図である。
【図４】端末の機能的構成を示すブロック図である。
【図５】表示装置の表示画面に表示された画面の例を示す図である。
【図６】表示制御システムにおけるカーソルの表示及び表示内容の表示制御に関するタイミングチャートである。
【図７】端末において表示される接続ページの例を示す図である。
【図８】表示許容領域の特定の例を示す図である。
【図９】端末のディスプレイに表示されたカーソルの表示位置情報の例を示す図である。
【図１０】関連情報の送信及び状態情報の取得に基づく表示許容領域の特定の例を示す図である。
【図１１】複数のユーザの端末から接続の要求を受け付けた場合の表示許容領域の特定の例を示す図である。
【図１２】複数のユーザの端末から接続の要求を受け付けた場合の表示許容領域の特定の処理に関するタイミングチャートを示す図である。
【図１３】特定部による表示許容領域の特定の他の例を示す図である。
【図１４】表示制御方法の処理内容を示すフローチャートである。
【図１５】表示制御プログラムの構成を示す図である。
【発明を実施するための形態】
【００２４】
以下、添付図面を参照しながら本発明の実施形態を詳細に説明する。なお、図面の説明において同一又は同等の要素には同一の符号を付し、重複する説明を省略する。
【００２５】
図１は、本実施形態に係る表示制御システムの装置構成を示す図である。表示制御システム１は、複数のユーザにより視認可能な表示画面の表示制御を行い、ユーザの端末Ｔからの表示画面における表示内容の操作に関する情報を受け付けるシステムである。図１に示すように、本実施形態の表示制御システム１は、表示制御装置１０，表示装置Ｄを含む。表示制御装置１０は、ネットワークＮを介して、複数の端末Ｔ（Ｔ１〜Ｔ３）と通信可能である。端末Ｔ１〜Ｔ３はそれぞれ、第１〜第３のユーザの端末を表す。
【００２６】
表示装置Ｄの表示画面は、複数の端末Ｔのユーザが視認可能な場所に設けられ、例えば、デジタルサイネージを構成する。デジタルサイネージは、画像及び文字等の情報を表示して、多くのユーザに情報を提供するためのものである。本実施形態では、表示装置Ｄにより構成されるデジタルサイネージは、端末Ｔのユーザに種々の情報を提供する。
【００２７】
表示制御装置１０は、表示装置Ｄの表示制御を行う。具体的には、表示制御装置１０は、表示装置Ｄに種々のコンテンツを表示させることができる。また、本実施形態の表示制御装置１０は、端末Ｔのウェブブラウザにコンテンツを提供するウェブサーバとしての機能を有する。即ち、表示制御装置１０は、端末Ｔにおける指示入力を受け付けると共に、端末Ｔに設けられたディスプレイにコンテンツを表示させることができる。端末Ｔにおける指示入力は、例えばタッチパネルにより構成される表示装置に対する入力である。なお、本実施形態では、表示制御装置１０がウェブサーバとしての機能を有することとしているが、ネットワークを介して表示制御装置１０及び端末Ｔと通信可能な別のサーバにウェブサーバとしての機能が構成されてもよい。
【００２８】
端末Ｔは、ユーザにより所持される装置であって、例えば、デジタルサイネージに表示されたコンテンツに対する指示入力を表示制御装置１０に送信する。また、端末Ｔは、表示制御装置１０から提供されたコンテンツをディスプレイに表示させることができる。
【００２９】
端末Ｔは、例えば高機能携帯電話機（スマートフォン）により構成されるが、端末Ｔを構成する装置は限定されず、例えば携帯電話機、携帯情報端末（ＰＤＡ）などの携帯端末、据置型又は携帯型のパーソナルコンピュータでもよい。なお、図１では、３台の端末Ｔが示されているが、端末Ｔの数はこれに限定されない。
【００３０】
本実施形態の表示制御システム１では、複数のユーザのそれぞれの端末Ｔにより表示装置Ｄの表示画面に表示されたカーソルを操作することにより、表示画面に表示された内容に関する操作が可能である。例えば、あるユーザが端末Ｔを表示制御システム１に接続すると、そのユーザのカーソルが表示装置Ｄの表示画面に新たに表示される。
【００３１】
図２は、表示制御装置１０の機能的構成を示すブロック図である。表示制御装置１０は、例えば、サーバにより構成される。
【００３２】
本実施形態の表示制御装置１０は、図２に示すように、機能的には、受付部１１（受付手段）、特定部１２（特定手段）、接続ページ送信部１３（接続ページ送信手段）、表示制御部１４（表示制御手段）、表示位置送信部１５（表示位置送信手段）、関連情報送信部１６（関連情報送信手段）及び状態取得部１７（状態取得手段）を備える。
【００３３】
図３は、表示制御装置１０のハードウェア構成図である。表示制御装置１０は、物理的には、図３に示すように、プロセッサにより構成されるＣＰＵ１０１、ＲＡＭ及びＲＯＭといったメモリにより構成される主記憶装置１０２、ハードディスク等で構成される補助記憶装置１０３、ネットワークカード等で構成される通信制御装置１０４、入力デバイスであるキーボード、マウス等の入力装置１０５、ディスプレイ等の出力装置１０６などを含むコンピュータシステムとして構成されている。
【００３４】
図２に示した各機能は、図３に示すＣＰＵ１０１、主記憶装置１０２等のハードウェア上に所定のコンピュータソフトウェア（表示制御プログラム）を読み込ませることにより、ＣＰＵ１０１の制御のもとで通信制御装置１０４、入力装置１０５、出力装置１０６を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。
【００３５】
図４は、端末Ｔの機能的構成を示すブロック図である。端末Ｔは、接続要求送信部２１、接続ページ受信部２２、操作入力受付部２３、操作情報送信部２４、表示位置受信部２５、表示制御部２６、関連情報受信部２７及び状態送信部２８を備える。また、端末ＴはディスプレイＴＰを有する。ディスプレイＴＰは、タッチパネルにより構成される。端末Ｔの各機能部の説明は、後に詳述する。
【００３６】
まず、図５〜図７を参照して、本実施形態の表示制御システム１を概略的に説明する。本実施形態の表示制御システム１では、表示制御装置１０は、デジタルサイネージを構成する表示装置Ｄに、例えば複数の商品画像をコンテンツとして表示させる。例えば、表示制御装置１０は、電子商取引サイトを構成する電子商取引サーバ（図示せず）から種々の商品情報及び商品画像等を取得し、表示装置Ｄに表示させる。図５は、表示装置Ｄの表示画面ＤＰに表示された画面の例を示す図である。図５に示すように、表示制御装置１０は、複数の商品画像Ｍを表示画面ＤＰに表示させる。
【００３７】
表示制御システム１では、複数のユーザのそれぞれの端末Ｔにより表示装置Ｄの表示画面に表示されたカーソルを操作することにより、表示画面に表示された内容に関する操作が可能である。図６は、表示制御システム１におけるカーソルの表示及び表示内容の表示制御に関するタイミングチャートである。
【００３８】
図６に示すように、まず、端末Ｔは、接続の要求を表示制御装置１０に送信する（Ｓ１１）。端末Ｔから表示制御装置１０へのアクセス及び接続の要求の送信は、例えば端末Ｔにおいて実行されるブラウザにより実現される。端末Ｔのブラウザは、表示制御装置１０に対するアクセスを行う。具体的には、端末Ｔのブラウザは、本実施形態の表示制御システム１による商品に関する情報の提供等のサービスを特定するＵＲＬにアクセスする。このＵＲＬは、種々の方法により端末Ｔに提供される。例えば、ＵＲＬを示すＱＲコード（登録商標）を表示装置Ｄの表示画面に表示させ、表示されたＱＲコードを端末Ｔが読み取ることにより、端末ＴはＵＲＬを取得してもよい。
【００３９】
また、ＵＲＬを表す情報が重畳された音声を、表示装置Ｄの近傍において発生させることにより、端末ＴにＵＲＬを取得させることとしてもよい。また、端末Ｔから所定の電話番号に対するアクセスを行うと、そのアクセスに呼応してＳＭＳ（Ｓｈｏｒｔ  Ｍｅｓｓａｇｅ  Ｓｅｒｖｉｃｅ）等の通知手段により端末ＴにＵＲＬが提供されることとしてもよい。
【００４０】
また、表示装置Ｄの近傍に存在する端末Ｔに対して、ブルートゥース（Ｂｌｕｅｔｏｏｔｈ）（登録商標）等の近距離無線通信により、ＵＲＬが提供されることとしてもよい。この場合には、端末Ｔは、近距離無線通信により表示制御装置１０を識別するＩＤを取得する。そして、端末Ｔは、取得したＩＤに基づいて、当該表示制御システムに係るサービスを利用するためのアプリケーションにおいて管理されているＩＤとＵＲＬの関連付けを参照して、ＵＲＬを取得できる。
【００４１】
なお、上記説明では、端末Ｔは、ブラウザにおいて実行されるブラウザアプリケーションにより表示制御装置１０に対してアクセスすることとしているが、専用のアプリケーションにより表示制御装置１０に対するアクセスを行うこととしてもよい。端末Ｔは、例えばＷｉ−Ｆｉといった通信方式を介して、表示制御装置１０にアクセスする。また、端末Ｔは、ブルートゥース（Ｂｌｕｅｔｏｏｔｈ）（登録商標）等の近距離無線通信により、表示制御装置１０にアクセスすることとしてもよく、端末Ｔと表示制御装置１０とのアクセスの通信方式は限定されない。
【００４２】
再び図６を参照して、表示制御装置１０は、ステップＳ１１における接続の要求を受信すると、接続ページ情報を端末Ｔに送信する（Ｓ１２）。接続ページ情報は、表示画面ＤＰにおけるカーソルの操作を端末Ｔにおいて実現させる接続ページを端末に表示させるための情報である。図７は、端末Ｔにおいて表示される接続ページの例を示す図である。端末ＴのディスプレイＴＰには、カーソルを操作するためのユーザインターフェースを構成する接続ページが表示されている。接続ページは、カーソルを操作するためのコントローラオブジェクトＯを含む。端末ＴのユーザがコントローラオブジェクトＯを操作することにより、表示画面ＤＰに表示されたカーソルを操作することが可能となる。
【００４３】
続いて、端末Ｔの接続ページにおいてカーソルの操作が開始されると（Ｓ１３）、その操作情報が表示制御装置１０に送信される。表示制御装置１０は、操作情報を受信すると、端末Ｔとの接続を確立し、端末ＴのユーザのカーソルＣを表示させる（Ｓ１４）。そして、端末ＴにおいてカーソルＣの操作が行われると（Ｓ１５）、表示制御装置１０は、その操作に応じた表示制御を行う（Ｓ１６）。図５に示すように、端末Ｔにおける操作によりカーソルＣが商品画像Ｍに重ねられると、表示制御装置１０は、当該商品画像Ｍに関するアイテム情報ＲＩを、カーソルＣ及び当該商品画像Ｍに関連付けて表示させる。アイテム情報ＲＩは、表示画面ＤＰに表示されたコンテンツである商品画像Ｍに関する情報であって、例えば、当該商品画像Ｍにより表される商品の詳細情報等であってもよい。
【００４４】
続いて、図２を再び参照して、表示制御装置１０の各機能部を詳細に説明する。受付部１１は、表示画面ＤＰの表示内容を操作するための接続の要求をユーザ（第１のユーザ）により操作される端末Ｔから受け付ける。接続の要求は、前述のとおり、カーソルＣを表示画面ＤＰに表示させて、表示内容の操作を実施するために、表示制御装置１０との接続を確立するための要求である。
【００４５】
特定部１２は、表示画面ＤＰにおけるユーザのカーソルＣの表示を許容する表示許容領域を特定する。表示許容領域は、接続の要求に応じた接続の確立の時点において、カーソルＣの表示が許容される領域である。即ち、表示許容領域は、カーソルＣの初期表示のための領域である。
【００４６】
具体的には、特定部１２は、第１のユーザのカーソルの表示許容領域を特定するに際して、第２のユーザの端末Ｔ２の操作に基づいて表示されたアイテム情報ＲＩが表示されている情報表示領域における、他のユーザのカーソルの表示の禁止度合いを示す表示禁止度を取得する。そして、特定部１２は、情報表示領域の表示禁止度に基づいて、表示許容領域を特定する。即ち、第２のユーザは、第１のユーザより先に表示制御装置１０との接続を確立してカーソルの表示及びアイテム情報ＲＩの表示等を行っていたユーザである。第２のユーザの端末Ｔ２の操作に基づいて表示されたアイテム情報ＲＩが表示されている情報表示領域は第２のユーザが着目している領域であると考えられる。
【００４７】
表示禁止度は、例えば、表示される情報の種類に応じて予め設定されていることとしてもよい。また、表示禁止度は、例えば、情報が表示される位置、表示画面ＤＰに占める大きさ、当該情報の表示の指示に係るユーザ等に基づいて、システムにより設定されることとしてもよい。
【００４８】
図８は、表示許容領域の特定の例を示す図である。図８に示すように、第２のユーザのカーソルＣ１２が商品画像Ｍに重ねられることにより、当該商品画像Ｍに関するアイテム情報ＲＩが表示されている。このような場合に、特定部１２は、アイテム情報ＲＩが表示されている情報表示領域ＲＡを特定し、情報表示領域ＲＡの表示禁止度を取得する。
【００４９】
本実施形態では、表示禁止度は、０〜１の値をとりうるものとする。例えば、ある領域の表示禁止度が１である場合には、その領域は、カーソルの表示が禁止される表示禁止領域として特定される。また、ある領域の表示禁止度が０である場合には、その領域は、カーソルの表示が禁止されていない領域として特定される。
【００５０】
図８を参照して説明する例では、情報表示領域ＲＡの表示禁止度が１であるとする。この場合には、特定部１２は、情報表示領域ＲＡを表示禁止領域として特定する。そして、特定部１２は、表示禁止領域以外の領域の少なくとも一部の領域を表示許容領域Ａ１として特定する。
【００５１】
特定部１２は、複数のユーザの端末からの操作に基づいて表示画面ＤＰに複数のアイテム情報ＲＩが表示されている場合には、各アイテム情報ＲＩに対してそれぞれの情報表示領域ＲＡを特定し、各情報表示領域ＲＡの表示禁止度を取得してもよい。また、特定部１２は、表示画面ＤＰ中において何れの情報も表示されていない領域を、最低の表示禁止度である０が設定されている領域として特定してもよい。また、表示画面ＤＰ中において所定の情報（例えば商品画像Ｍ）が予め表示されている領域を、最高の表示禁止度である１が設定されている領域として特定してもよい。このように、表示画面ＤＰ中において種々の表示禁止度が設定されている領域が存在する場合には、特定部１２は、表示禁止度が最も低い領域を表示許容領域として特定する。これにより、ユーザがアイテム情報を見ることを妨げる可能性が最も低い領域に第１のユーザのカーソルを表示させることができる。
【００５２】
接続ページ送信部１３は、受付部１１により受け付けられた接続の要求に応じて接続ページ情報を端末Ｔに送信する。接続ページ情報は、表示画面ＤＰにおけるカーソルの操作を端末Ｔにおいて実現させる接続ページを端末に表示させるための情報であって、特定部１２により特定された表示許容領域に関する情報を含むことができる。接続ページ送信部１３の機能の詳細については後述する。
【００５３】
表示制御部１４は、特定部１２により特定された表示許容領域にユーザ（第１のユーザ）のカーソルＣを表示させる。本実施形態では、図８に示すように、表示制御部１４は、表示装置Ｄの表示画面ＤＰにおける表示許容領域Ａ１に、第１のユーザのカーソルＣ１１を表示させる。
【００５４】
図８に示す例では、第２のユーザの端末の操作に基づいて表示されたアイテム情報が表示されている情報表示領域ＲＡの表示禁止度に基づいて表示許容領域が特定される。従って、例えば情報表示領域ＲＡに高い表示禁止度を設定しておくことにより、第２のユーザが着目している領域である情報表示領域ＲＡ以外の領域が表示許容領域Ａ１として特定され、接続の要求に係る第１のユーザのカーソルが表示許容領域Ａ１に表示されるので、第１のユーザのカーソルが、第２のユーザがアイテム情報を見ることを妨げにくくすることができる。
【００５５】
再び図２を参照して、表示位置送信部１５は、表示画面ＤＰにおけるユーザのカーソルが表示された位置を示す表示位置情報をユーザの端末Ｔに送信する。図９は、端末Ｔのディスプレイに表示されたカーソルの表示位置情報の例を示す図である。
【００５６】
表示位置送信部１５は、例えば図８に示す表示許容領域Ａ１に第１のユーザのカーソルＣ１１を表示させた場合に、表示画面ＤＰの右下部分にカーソルＣ１１が表示されたことを示す表示位置情報を第１のユーザの端末Ｔ１に送信する。そして、図９に示すように、第１のユーザの端末Ｔ１において、受信した表示位置情報に基づいて、カーソル位置情報Ｇが表示される。カーソル位置情報Ｇでは、表示画面ＤＰを表す枠内の右下部分にカーソルが表示されていることが丸印により示されている。
【００５７】
このように、カーソル位置情報を端末に表示させることにより、端末からの接続の要求に応じて、表示制御システム１により特定されたカーソルの表示位置を、当該端末のユーザに認識させることが容易となる。
【００５８】
再び図２を参照して、関連情報送信部１６は、ユーザの操作に基づいて、アイテム情報ＲＩに関連する関連情報をユーザの端末Ｔに表示させるために当該端末Ｔに送信する。関連情報は、例えば、アイテム情報ＲＩに関連する情報であって、例えば、アイテム情報ＲＩに関する詳細情報、アイテム情報ＲＩと同様の商品詳細情報、アイテム情報ＲＩに示される商品を購入するための購入画面を表す情報等であってもよい。関連情報の送信は、例えば、表示されたアイテム情報ＲＩの上にカーソルを重ねて端末Ｔにおいてタップ操作が行われたことを取得した場合に行われることとしてもよい。
【００５９】
状態取得部１７は、ユーザの端末Ｔが、関連情報送信部１６による関連情報の送信に応じた所定状態であることを示す状態情報を取得する。所定状態は、例えば、商品詳細情報が関連情報として端末Ｔに送信された場合には、端末Ｔにおいて当該商品詳細情報が表示中であること、商品の購入画面が関連情報として端末Ｔに送信された場合には、端末Ｔにおいて当該商品の購入手続の処理中であること、等である。
【００６０】
図１０は、関連情報の送信及び状態情報の取得に基づく表示許容領域の特定の例を示す図である。図１０に示すように、第２のユーザのカーソルＣ２２が商品画像Ｍに重ねられることにより、当該商品画像Ｍに関するアイテム情報ＲＩが表示されている。このような場合に、特定部１２は、アイテム情報ＲＩが表示されている情報表示領域ＲＡを特定する。そして、情報表示領域ＲＡの表示禁止度が１であるとすると、特定部１２は、情報表示領域ＲＡを表示禁止領域として特定する（図８参照）。これに対して、図１０の例では、特定部１２は、状態取得部１７により、第２のユーザの端末Ｔ２が所定状態であることを示す状態情報が端末Ｔ２から取得された場合には、情報表示領域ＲＡの表示禁止度を、当該状態情報が取得されなかった場合よりも低下させる。例えば、図１０に示す例では、特定部１２は、状態情報が取得された場合に、情報表示領域ＲＡの表示禁止度を１から０に低下させる。この場合には、特定部１２は、表示禁止領域として特定されていた情報表示領域ＲＡを、表示禁止領域から除外することとなる。そして、特定部１２は、第１のユーザのカーソルを表示可能な領域として、表示許容領域Ａ２１だけではなく、アイテム情報ＲＩが表示されている領域を含む表示許容領域Ａ２２を特定できる。
【００６１】
なお、上記の例では、状態情報が取得された場合に、特定部１２は、情報表示領域ＲＡの表示禁止度を１から０に低下させることとしているが、表示禁止度の低下のさせ方はこの例には限定されない。例えば、表示禁止度の低下のさせ方は当該情報領域及び状態情報に係るユーザ、状態情報の内容等に応じて設定されることとしてもよい。
【００６２】
第２のユーザの端末Ｔ２が所定状態にあるときは、例えば、第２のユーザが端末Ｔ２を注視している蓋然性が高い状態である。そこで、第２のユーザが表示画面ＤＰを見ていない可能性が高いときに、情報表示領域ＲＡの表示禁止度を低下させることにより、第１のカーソルが情報表示領域ＲＡに表示されることを許容するように制御できる。従って、第２のユーザが着目箇所を見ることを妨げることなく、第１のユーザのカーソルの表示位置の自由度を大きくすることができる。
【００６３】
次に、図１１及び図１２を参照して、複数のユーザの端末Ｔから接続の要求を受け付けた場合における、カーソルの表示制御について説明する。図１１は、複数のユーザの端末から接続の要求を受け付けた場合の表示許容領域の特定の例を示す図である。図１２は、複数のユーザの端末から接続の要求を受け付けた場合の表示許容領域の特定の処理に関するタイミングチャートを示す図である。
【００６４】
本実施形態の表示制御システム１では、受付部１１は、複数のユーザの端末Ｔからの接続の要求を受け付けることが可能である。受付部１１により、第１のユーザの端末Ｔ１からの接続の要求を受け付ける前に、第３のユーザの端末Ｔ３からの接続の要求を受け付けた場合には、特定部１２は、表示許容領域のうちの一部の領域である第１の領域を第３のユーザのカーソルを表示するための領域として特定し、表示許容領域のうちの第１の領域以外の領域の少なくとも一部の領域である第２の領域を、第１のユーザのカーソル表示するための領域として特定する。
【００６５】
図１１及び図１２を参照して具体的に説明すると、まず、第３のユーザの端末Ｔ３は、表示制御装置１０に接続の要求を送信する（Ｓ２１）。特定部１２は、第２のユーザのカーソルＣ３２が商品画像Ｍに重ねられることにより表示されたアイテム情報ＲＩが表示されている情報表示領域ＲＡを特定し、情報表示領域ＲＡを表示禁止領域として特定する（情報表示領域ＲＡの表示禁止度を１とする）。そして、特定部１２は、表示禁止領域以外の領域を表示許容領域Ａ３として特定する。表示許容領域Ａ３は、第１の領域Ａ３１及び第２の領域Ａ３２を含む。
【００６６】
そして、接続ページ送信部１３は、ステップＳ２１の接続の要求に応じて、第１の接続ページ情報を端末Ｔ３に送信する（Ｓ２２）。第１の接続ページ情報は、表示画面ＤＰにおけるカーソルの操作を端末Ｔ３において実現させる接続ページを端末に表示させるための情報であって、第１の領域Ａ３１及び第２の領域Ａ３２のいずれかが第３のユーザのカーソルが表示されることとなる表示許容領域であることを示す情報を含む。
【００６７】
続いて、第１のユーザの端末Ｔ１は、表示制御装置１０に接続の要求を送信する（Ｓ２３）。特定部１２は、表示許容領域Ａ３のうちの第１の領域Ａ３１以外の領域である第２の領域Ａ３２を、第１のユーザのカーソルの表示許容領域として特定する。
【００６８】
ステップＳ２２の時点では、特定部１２は、第１の領域Ａ３１及び第２の領域Ａ３２の両方を第３のユーザのカーソルの表示許容領域として特定しているが、第１のユーザの端末Ｔ１からの接続の要求を受け付けた時点において、第１の領域Ａ３１及び第２の領域Ａ３２のうちの一方である第１の領域Ａ３１を第３のユーザのカーソルの表示許容領域として特定する。この特定は、ランダムに行われても良いし、所定の優先順位に基づいて行われても良い。所定の優先順位は、例えば、特定された各領域に割り当てられたシリアルの番号等であってもよい。そして、特定部１２は、第１の領域Ａ３１及び第２の領域Ａ３２のうちの他方である第２の領域Ａ３２を第１のユーザのカーソルの表示許容領域として特定する。
【００６９】
接続ページ送信部１３は、ステップＳ２３の接続の要求に応じて、第２の接続ページ情報を端末Ｔ１に送信する（Ｓ２４）。第２の接続ページ情報は、表示画面ＤＰにおけるカーソルの操作を端末Ｔ１において実現させる接続ページを端末に表示させるための情報であって、第２の領域Ａ３２が第１のユーザのカーソルが表示されることとなる表示許容領域であることを示す情報を含む。
【００７０】
第３のユーザの端末Ｔ３に表示された接続ページにおいてカーソルの操作が開始されると、その操作情報が表示制御装置１０に送信される（Ｓ２５）。表示制御装置１０により操作情報が受信されると、表示制御装置１０と端末Ｔ３との間でカーソル操作のための接続が確立され、表示制御部１４は、第３のユーザのカーソルを第１の領域Ａ３１に表示させる（Ｓ２６）。
【００７１】
一方、第１のユーザの端末Ｔ１に表示された接続ページにおいてカーソルの操作が開始されると、その操作情報が表示制御装置１０に送信される（Ｓ２７）。表示制御装置１０により操作情報が受信されると、表示制御装置１０と端末Ｔ１との間でカーソル操作のための接続が確立され、表示制御部１４は、第１のユーザのカーソルを第２の領域Ａ３２に表示させる（Ｓ２８）。
【００７２】
このように、第３及び第１のユーザのそれぞれの端末Ｔから一定の時間差をもって接続の要求を受け付けた場合に、第１の領域Ａ３１及び第１の領域Ａ３１以外の第２の領域Ａ３２が、第３及び第１のユーザのそれぞれのカーソルＣを表示するための領域として特定される。これにより、第３及び第１のユーザのカーソルＣはそれぞれ別の領域に表示されるので、第３及び第１のユーザのカーソルの表示位置の間に一定の間隔が確保される。従って、第２のユーザが着目箇所を見ることを妨げることを防止しながら、第３及び第１のユーザのそれぞれが、自らのカーソルの表示位置を認識することが容易となる。
【００７３】
また、第３及び第１のユーザのそれぞれの端末Ｔからの接続の要求に応じて、第１の領域にカーソルが表示されることとなる情報を含む第１の接続ページ情報、及び、第２の領域にカーソルが表示されることとなる情報を含む第２の接続ページ情報がそれぞれの端末Ｔに返信される。これにより、第３及び第１のユーザのカーソルが表示される領域が、端末におけるカーソルの操作を示す操作情報の取得に先だって予め予約される。従って、第３及び第１のユーザのそれぞれの端末から時間差をもった接続の要求が受信された場合に、操作情報が取得される順が接続の要求の受信の順と異なったとしても、第３及び第１のユーザのそれぞれのカーソルを、確実に別の領域に表示させることができる。
【００７４】
図１３は、特定部１２による表示許容領域の特定の他の例を示す図である。特定部１２は、表示許容領域を分割して複数の副表示許容領域を特定し、複数の副表示許容領域のうちの一つである第１の副表示許容領域を、第３のユーザのカーソルを表示するための第１の領域として特定し、複数の副表示許容領域のうちの第１の副表示許容領域以外の副表示許容領域である第２の副表示許容領域を、第１のユーザのカーソル表示するための第２の領域として特定してもよい。以下に、副表示許容領域の特定について具体的に説明する。
【００７５】
図１３に示すように他のユーザのカーソルＣ４１，４２が重ねられた各商品画像Ｍに関するアイテム情報ＲＩ１，ＲＩ２が表示されている。このような場合に、特定部１２は、アイテム情報ＲＩが表示されている情報表示領域ＲＡを特定し、情報表示領域ＲＡを表示禁止領域として特定する（情報表示領域ＲＡの表示禁止度を１とする）。そして、特定部１２は、表示禁止領域以外の領域から、表示許容領域Ａ４を特定する。
【００７６】
このような場合において、特定部１２は、表示許容領域Ａ４を分割して、複数の副表示許容領域Ａ４１，Ａ４２を特定してもよい。そして、図１２等を参照して説明したように、第３及び第１のユーザのそれぞれの端末Ｔ３，Ｔ１から接続の要求を受信した場合に、特定部１２は、複数の副表示許容領域のうちの一つである第１の副表示許容領域Ａ４１を、第３のユーザのカーソルを表示するための第１の領域として特定する。そして、特定部１２は、複数の副表示許容領域のうちの第１の副表示許容領域Ａ４１以外の副表示許容領域である第２の副表示許容領域Ａ４２を、第１のユーザのカーソル表示するための第２の領域として特定する。
【００７７】
また、特定部１２は、アイテム情報ＲＩ１，ＲＩ２が表示された時点では、表示許容領域Ａ４を特定しておき、第３及び第１のユーザのそれぞれの端末Ｔ３，Ｔ１から接続の要求を受信した時点で、特定された表示許容領域の数が、接続の要求を受信したユーザの数より少ないことを判定した場合に、表示許容領域Ａ４を分割して、複数の副表示許容領域Ａ４１，Ａ４２を特定することとしてもよい。
【００７８】
このように、予め重複することなく特定した複数の副表示許容領域のうちの第１及び第２の副表示許容領域がそれぞれ第３及び第１のユーザのカーソルを表示させる領域として特定される。これにより、第３及び第１のユーザのカーソルを、確実に別の領域に表示することができる。
【００７９】
続いて、図４を参照して、端末Ｔの機能部について説明する。接続要求送信部２１は、接続の要求を表示制御装置１０に送信する。接続の要求は、前述のとおり、カーソルＣを表示装置Ｄの表示画面ＤＰに表示させて、表示内容の操作を実施するために、表示制御装置１０との接続を確立するための要求である。接続の要求の送信は、例えば、端末Ｔのブラウザによる所定のＵＲＬへのアクセスにより実現される。
【００８０】
接続ページ受信部２２は、接続の要求に応じて表示制御装置１０から返信された接続ページ情報を受信する。そして、接続ページ受信部２２は、表示制御部２６を介して、接続ページ（図７参照）をディスプレイＴＰに表示させる。
【００８１】
操作入力受付部２３は、ディスプレイＴＰに表示された接続ページに対する操作入力を受け付ける。具体的には、操作入力受付部２３は、表示画面ＤＰにおいてカーソルを操作するための、接続ページにおける操作の内容を操作情報として受け付ける。
【００８２】
操作情報送信部２４は、操作入力受付部２３により受け付けられた操作情報を表示制御装置１０に送信する。
【００８３】
表示位置受信部２５は、表示制御装置１０の表示位置送信部１５から送信された表示位置情報を受信する。表示位置情報は、前述のとおり、表示画面ＤＰにおけるユーザのカーソルが表示された位置を示す情報である。表示位置受信部２５は、表示制御部２６を介して、表示位置情報（図９参照）をディスプレイＴＰに表示させる。
【００８４】
表示制御部２６は、接続ページ受信部２２により受信された接続ページ情報に基づいて、ディスプレイＴＰに接続ページを表示させる。また、表示制御部２６は、表示位置受信部２５により受信された表示位置情報をディスプレイＴＰに表示させる。また、表示制御部２６は、関連情報受信部２７により受信された関連情報をディスプレイＴＰに表示させる。
【００８５】
関連情報受信部２７は、表示制御装置１０の関連情報送信部１６から送信された関連情報を受信する。関連情報は、前述のとおり、アイテム情報ＲＩに関連する情報であって、例えば、アイテム情報ＲＩに関する詳細情報、アイテム情報ＲＩと同様の商品詳細情報、アイテム情報ＲＩに示される商品を購入するための購入画面を表す情報等である。関連情報受信部２７は、表示制御部２６を介して、ディスプレイＴＰに関連情報を表示させる。
【００８６】
状態送信部２８は、端末Ｔが、関連情報がディスプレイＴＰに表示されたこと応じた所定状態であることを示す状態情報を表示制御装置１０に送信する。所定状態は、前述のとおり、例えば、商品詳細情報が関連情報として端末Ｔに送信された場合には、端末Ｔにおいて当該商品詳細情報が表示中であること、商品の購入画面が関連情報として端末Ｔに送信された場合には、端末Ｔにおいて当該商品の購入手続の処理中であること、等である。
【００８７】
次に、図１４を参照して、本実施形態の表示制御方法について説明する。図１４は、表示制御装置１０における表示制御方法の処理内容の例を示すフローチャートである。
【００８８】
まず、受付部１１は、表示画面ＤＰの表示内容を操作するための接続の要求を第１のユーザにより操作される端末Ｔから受け付ける（Ｓ１）。
【００８９】
続いて、特定部１２は、表示画面ＤＰにおける第１のユーザのカーソルＣの表示を許容する表示許容領域を特定する。表示許容領域は、カーソルＣの初期表示のための領域である（Ｓ２）。具体的には、特定部１２は、第２のユーザの端末Ｔ２の操作に基づいて表示されたアイテム情報ＲＩが表示されている情報表示領域における表示禁止度を取得し、取得した表示禁止度に基づいて、表示許容領域を特定する、例えば、情報表示領域の表示禁止度が、最高値の１に設定されている場合には、特定部１２は、当該情報表示領域を、カーソルの表示を禁止する表示禁止領域として特定し、その表示禁止領域以外の領域の少なくとも一部を表示許容領域として特定する。第２のユーザは、第１のユーザより先に表示制御装置１０との接続を確立してカーソルの表示及びアイテム情報ＲＩの表示等を行っていたユーザである。
【００９０】
次に、接続ページ送信部１３は、ステップＳ１において受付部１１により受け付けられた接続の要求に応じて接続ページ情報を端末Ｔに送信する（Ｓ３）。ここで送信される接続ページ情報は、ステップＳ２において特定された表示許容領域に関する情報を含むことができる。
【００９１】
そして、表示制御部１４は、第１のユーザの端末Ｔに表示された接続ページにおけるカーソルの操作を示す操作情報を受信すると、特定部１２により特定された表示許容領域に第１のユーザのカーソルＣを表示させる（Ｓ４）。
【００９２】
次に、図１５を参照して、コンピュータを表示制御装置１０として機能させるための表示制御プログラムを説明する。表示制御プログラムｐ１は、メインモジュールｍ１０、受付モジュールｍ１１、特定モジュールｍ１２、接続ページ送信モジュールｍ１３、表示制御モジュールｍ１４、表示位置送信モジュールｍ１５、関連情報送信モジュールｍ１６及び状態取得モジュールｍ１７を備える。
【００９３】
メインモジュールｍ１０は、表示制御処理を統括的に制御する部分である。受付モジュールｍ１１、特定モジュールｍ１２、接続ページ送信モジュールｍ１３、表示制御モジュールｍ１４、表示位置送信モジュールｍ１５、関連情報送信モジュールｍ１６及び状態取得モジュールｍ１７を実行することにより実現される機能はそれぞれ、図２に示される表示制御装置１０の受付部１１、特定部１２、接続ページ送信部１３、表示制御部１４、表示位置送信部１５、関連情報送信部１６及び状態取得部１７の機能と同様である。
【００９４】
表示制御プログラムｐ１は、例えば、磁気ディスクや光ディスクまたは半導体メモリ等の記憶媒体ｄ１によって提供される。また、表示制御プログラムｐ１は、搬送波に重畳されたコンピュータデータ信号として通信ネットワークを介して提供されてもよい。
【００９５】
以上説明した本実施形態の表示制御システム１、表示制御方法及び表示制御プログラムｐ１によれば、第２のユーザの端末の操作に基づいて表示されたアイテム情報が表示されている情報表示領域の表示禁止度に基づいて表示許容領域が特定される。従って、例えば情報表示領域に高い表示禁止度を設定しておくことにより、第２のユーザが着目している領域である情報表示領域以外の領域が表示許容領域として特定され、接続の要求に係る第１のユーザのカーソルが表示許容領域に表示されるので、第１のユーザのカーソルが、第２のユーザがアイテム情報を見ることを妨げにくくすることができる。
【００９６】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００９７】
Ｄ…表示装置、ＤＰ…表示画面、Ｎ…ネットワーク、Ｔ，Ｔ１，Ｔ２，Ｔ３…端末、ＴＰ…ディスプレイ、ｄ１…記憶媒体、ｍ１０…メインモジュール、ｍ１１…受付モジュール、ｍ１２…特定モジュール、ｍ１３…接続ページ送信モジュール、ｍ１４…表示制御モジュール、ｍ１５…表示位置送信モジュール、ｍ１６…関連情報送信モジュール、ｍ１７…状態取得モジュール、ｐ１…表示制御プログラム、１…表示制御システム、１０…表示制御装置、１１…受付部、１２…特定部、１３…接続ページ送信部、１４…表示制御部、１５…表示位置送信部、１６…関連情報送信部、１７…状態取得部、２１…接続要求送信部、２２…接続ページ受信部、２３…操作入力受付部、２４…操作情報送信部、２５…表示位置受信部、２６…表示制御部、２７…関連情報受信部、２８…状態送信部。
【図１】
2017168691.tif 000003
【図２】
2017168691.tif 000004
【図３】
2017168691.tif 000005
【図４】
2017168691.tif 000006
【図５】
2017168691.tif 000007
【図６】
2017168691.tif 000008
【図７】
2017168691.tif 000009
【図８】
2017168691.tif 000010
【図９】
2017168691.tif 000011
【図１０】
2017168691.tif 000012
【図１１】
2017168691.tif 000013
【図１２】
2017168691.tif 000014
【図１３】
2017168691.tif 000015
【図１４】
2017168691.tif 000016
【図１５】
2017168691.tif 000017
【国際調査報告】
2017168691.tif 000018
2017168691.tif 000019
2017168691.tif 000020